(57)【要約】【課題】比較的小型の養生テントの組み合わせで地表面の掘削部分の全てを覆うことができ、テントの移動や養生シートが不要、かつ、専用の水処理設備も用いることなく、雨水等が掘削箇所に流入することを回避できる。【解決手段】複数の養生テントを互いに隣接するように建て込む養生テント建て込み工程と、複数の養生テントで覆われた地表面を掘削する掘削工程と、地表面の掘削状況に応じて養生テントの支柱を下方へ伸ばして養生テントの高さ位置を維持しながら養生テントの上側部分を支持するテント支柱伸長工程と、を備える。テント支柱伸長工程は、複数の支柱のうち一の支柱の両側にある支柱で一の支柱の上端が接続される支柱接続部分１９aを支え、この状態で一の支柱を支柱接続部分から一旦取り外して空いた地表面を掘削し、その後、一の支柱に代わり一の支柱よりも長さが長い伸長支柱を支柱接続部分に接続する一の支柱伸長工程を有する。【選択図】図７
2015045130.tif 000002
【特許請求の範囲】
【請求項１】
複数の養生テントを互いに隣接するように建て込む養生テント建て込み工程と、
前記複数の養生テントで覆われた地表面を掘削する掘削工程と、
前記地表面の掘削状況に応じて前記養生テントの支柱を下方へ伸ばして前記養生テントの高さ位置を維持しながら該養生テントの上側部分を支持するテント支柱伸長工程と、
を備え、
前記テント支柱伸長工程は、
前記養生テントの上側部分を支える複数の支柱のうち一の支柱の両側にある支柱で前記一の支柱の上端が接続される支柱接続部分を支え、この状態で前記一の支柱を前記支柱接続部分から一旦取り外して空いた地表面を掘削し、その後、前記一の支柱に代わり該一の支柱よりも長さが長い伸長支柱を前記支柱接続部分に接続して、前記一の支柱を伸長させる一の支柱伸長工程を有し、該一の支柱伸長工程を前記複数の支柱に沿って横方向にずらしながら繰り返し行なうことで、前記養生テントの複数の支柱のうち前記地表面の内側に位置する前記支柱を伸長することを特徴とする養生テントの設置工法。
【請求項２】
前記一の支柱伸長工程で、前記一の支柱の両側にある支柱で前記一の支柱の上端が接続される支柱接続部分を支えるに際し、前記一の支柱の両側にある前記支柱と、前記支柱接続部分との間に渡される長さ調整可能なブレースを介して支えることを特徴とする請求項１に記載の養生テントの設置工法。
【請求項３】
前記一の支柱伸長工程を前記複数の支柱に沿って横方向にずらして繰り返し行なうときに、複数ある支柱のうち一端側にある支柱から他端側にある支柱に向けて一方向に順次横方向にずらしながら前記一の支柱伸長工程を行うことを特徴とする請求項１または２に記載の養生テントの設置工法。
【発明の詳細な説明】
【技術分野】
【０００１】
本発明は、地表面の掘削箇所を養生テントで覆う際の、養生テントの設置工法に関する。
【背景技術】
【０００２】
建築や土木工事においては、地表面を掘削する際に、風雨等天候による作業能率の低下や発塵等による作業環境悪化を防止するため、地表面の掘削箇所を養生テントで覆う場合がある。
このように地表面の掘削箇所を養生テントで覆う場合、例えば、大型の養生テントを用いて掘削箇所の全てを覆う方法がある。
【０００３】
また、他の方法として、下記特許文献１に示すように、テントを支える支柱の下端にキャスターを備えた移動式の養生テントを用い、移動させながら掘削部分だけを覆う方法がある。
【先行技術文献】
【特許文献】
【０００４】
【特許文献１】実開平０６−７９９６４号公報
【発明の概要】
【発明が解決しようとする課題】
【０００５】
前者の大型の養生テントで掘削箇所の全てを覆う方法の場合、イニシャルコストが高くなる課題がある。すなわち、掘削箇所が大型化すればするほど、テント膜の強度をより強くしなければならず、しかも、テント膜を支える構造部分の剛性も高く設定しなればならず、このため、養生テント自体のイニシャルコストが掘削箇所の大型化に対応して指数的に増加する課題がある。
【０００６】
また、後者の移動式の養生テントを用いる場合、工事の進捗に合わせて養生テントを移動させなければならず、移動のためのコストが嵩む課題がある。
また特に、掘削箇所が廃棄物処理場の造成等の場合、工事完成までの間、当該掘削箇所への雨水の流入を防ぐために掘削箇所を養生シートで覆ったり、掘削箇所に雨水が流入したときにはこの雨水を処理するために専用の水処理設備を配備することが必要になったりするため、養生テント以外の費用が嵩む課題もある。
【０００７】
本発明は、上述した事情に鑑みてなされたものであって、比較的小型の養生テントの組み合わせで地表面の掘削部分の全てを覆うことができ、養生テントを移動させる必要がなく、また、養生シートを用いることなく雨水等が掘削箇所に流入することを回避することができ、しかも、専用の水処理設備も不要となる養生テントの設置工法を提供することを課題とする。
【課題を解決するための手段】
【０００８】
本発明は、上記課題を解決するために、以下の手段を採用する。
発明に係る養生テントの設置工法は、複数の養生テントを互いに隣接するように建て込む養生テント建て込み工程と、複数の養生テントで覆われた地表面を掘削する掘削工程と、前記地表面の掘削状況に応じて前記養生テントの支柱を下方へ伸ばして前記養生テントの高さ位置を維持しながら該養生テントの上側部分を支持するテント支柱伸長工程と、を備え、前記テント支柱伸長工程は、前記養生テントの上側部分を支える複数の支柱のうち一の支柱の両側にある支柱で前記一の支柱の上端が接続される支柱接続部分を支え、この状態で前記一の支柱を前記支柱接続部分から一旦取り外して空いた地表面を掘削し、その後、前記一の支柱に代わり該一の支柱よりも長さが長い伸長支柱を前記支柱接続部分に接続して、前記一の支柱を伸長させる一の支柱伸長工程を有し、該一の支柱伸長工程を前記複数の支柱に沿って横方向にずらしながら繰り返し行なうことで、前記養生テントの複数の支柱のうち前記地表面の内側に位置する前記支柱を伸長することを特徴とする。
【０００９】
発明に係る養生テントの設置工法によれば、複数の養生テントで覆った地表面を掘削するが、このとき、養生テントを支える複数の支柱のうち、養生テントで覆われた地表面の内側に位置する支柱を、両側にある支柱によって荷重を受けながら、掘削深さに応じて１本ずつあるいは複数本ずつ下方へ伸長させる。これにより、地表面を掘削しながら、養生テントの高さ位置を変えることなく、伸長した支柱で養生テントの上部を支えることができる。従って、養生テントで覆った状態のまま、地表面を所望深さまで掘削することができる。
ここで、地表面の掘削部分を覆う養生テントは複数あるため、一つ一つの養生テントは、比較的小型で足りる。このため、養生テント自体のイニシャルコストを低減することができる。
また、掘削当初から掘削予定の地表面を養生テントによって全て覆うため、養生テントを移動させる必要がなく、また、養生シートを用いることなく雨水等が掘削箇所に流入することを回避できる。また、雨水等が掘削箇所に流入するおそれがないので、掘削箇所に雨水が流入した際の雨水を処理するための専用の水処理設備も不要になる。
【００１０】
前記一の支柱伸長工程で、前記一の支柱の両側にある支柱で前記一の支柱の上端が接続される支柱接続部分を支えるに際し、前記一の支柱の両側にある前記支柱と、前記支柱接続部分との間に渡される長さ調整可能なブレースを介して支えることが好ましい。
【００１１】
この場合、一の支柱の両側にある支柱と一の支柱の上端が接続される支柱接続部分との間に渡されるブレースを短くすることにより、該ブレースに、一の支柱が受ける荷重を一時的に負担させることができる。これにより、一の支柱を支柱接続部分から外すことが可能となる。もともと一の支柱があった領域の下側を掘削した後、一の支柱に代わりこの一の支柱よりも長さが長い伸長支柱を支柱接続部分に接続し、その後、前記ブレースをもとの長さとなるように調整する。これにより、伸長支柱に所定の荷重を負担させることができる。
このように、もともとあるブレースを利用し、その長さを調整という簡単な作業によって、一の支柱あるいは伸長支柱に加わる荷重を増減させることができる。これに伴い、不具合を生じさせることなく、一の支柱を支柱接続部から取り外したり、伸長支柱を支柱接続部へ取り付けたりすることが可能となる。
【００１２】
前記一の支柱伸長工程を前記複数の支柱に沿って横方向にずらして繰り返し行なうときに、複数ある支柱のうち一端側にある支柱から他端側にある支柱に向けて一方向に順次横方向にずらしながら前記一の支柱伸長工程を行うことが好ましい。
【００１３】
この場合、一の支柱伸長工程を、一の支柱から直ぐ横にある支柱へと横方向にずらしながら行うため、これら一の支柱伸長工程を次々に行なうための作業員並びに機器の移動距離を短くなる。この結果、作業効率を向上させて工期の短縮を図ることができる。
【発明の効果】
【００１４】
請求項１の発明によれば、地表面の掘削部分を覆う養生テントは複数あるため、一つ一つの養生テントは、比較的小型で足りる。このため、養生テント自体のイニシャルコストを低減することができる。また、掘削当初から掘削予定の地表面を養生テントによって全て覆うため、養生テントを移動させる必要がなく、また、養生シートを用いることなく雨水等が掘削箇所に流入することを回避できる。また、雨水等が掘削箇所に流入するおそれがないので、掘削箇所に雨水が流入した際の雨水を処理するための専用の水処理設備も不要になる。
【００１５】
請求項２の発明によれば、もともとあるブレースを利用し、その長さを調整という簡単な作業によって、一の支柱あるいは伸長支柱に加わる荷重を増減させることができる。これに伴い、不具合を生じさせることなく、一の支柱を支柱接続部から取り外したり、伸長支柱を支柱接続部へ取り付けたりすることが可能になる。
【００１６】
請求項３の発明によれば、一の支柱伸長工程を、一の支柱から直ぐ横にある支柱へと横方向にずれながら行うため、これら一の支柱伸長工程を次々に行なうための作業員並びに機器の移動距離を短くすることができ、これにより、作業効率を向上させて工期の短縮を図ることができる。
【図面の簡単な説明】
【００１７】
【図１】は本発明に係る養生テントの設置工法の実施形態の工程を示す概略斜視図である。
【図２】は本発明に係る養生テントの設置工法の実施形態の工程を示す概略正面図である。
【図３】は本発明に係る養生テントの設置工法の実施形態の工程を示す側面図である。
【図４】は本発明に係る養生テントの設置工法の実施形態で用いられる支柱ブロックの斜視図である。
【図５】は本発明に係る養生テントの設置工法の実施形態の工程を示し、養生テントの接続部分を表す要部断面図である。
【図６】は本発明に係る養生テントの設置工法の実施形態の工程を示す一部側面図である。
【図７】は本発明に係る養生テントの設置工法の実施形態の工程を示す一部側面図である。
【図８】は本発明に係る養生テントの設置工法の実施形態の工程を示す一部側面図である。
【図９】は本発明に係る養生テントの設置工法の実施形態の工程を示す一部側面図である。
【図１０】は本発明に係る養生テントの設置工法の実施形態の工程を示す側面図である。
【図１１】は本発明に係る養生テントの設置工法の実施形態の工程を示す概略正面図である。
【発明を実施するための形態】
【００１８】
以下、本発明に係る養生テントの設置工法の実施形態を図面を参照しながら説明する。
図１は本発明に係る養生テントの設置工法の実施形態の工程を示す概略斜視図、図２は本発明に係る養生テントの設置工法の実施形態の工程を示す概略正面図、図３は本発明に係る養生テントの設置工法の実施形態の工程を示す側面図である。
【００１９】
本発明に係る養生テントの設置工法の実施形態を行なうには、最初に、図１に示すように、複数（図１では３連の例を示す）の縦長状の養生テント１を、幅方向に連なるように互いに隣接して建て込む（養生テント建て込み工程）。
養生テント１は、テント膜１０と、テント膜１０を内側から支える複数の主架構ブロック１１により構成される。主架構ブロック１１は、養生テント１の長さ方向に等間隔をあけて配置されており、これら主架構ブロック１１は、図３にも示すように隣接するもの同士が互いに交差するブレース１２によって連結されている。ここでは、後述する支柱１４を連結するブレース１２として、例えば、中央部に長さ調整可能なネジ機構を有するターンバックルが用いられている（図４参照）。
【００２０】
主架構ブロック１１は、屋根部１３と支柱１４とから構成される。図２に示すように、屋根部１３は、上下方向に間隔をあけて配置される２本の横部材１５、１５が、傾斜角度を交互に異ならせて全体でジクザグ状に配置された複数の斜め部材１６によって連結されたトラス構造になっている。また、支柱１４の基本構造は、養生テント1の幅方向に間隔をあけて配置される２本の縦部材１７、１７が、傾斜角度を交互に異ならせて全体でジクザグ状に配置された複数の斜め部材１８によって連結されたトラス構造になっている。
ここで、前記横部材１５、縦部材１７、斜め部材１６、１８は、高い剛性を確保するため、例えば鋼製のパイプ材によって構成される。
【００２１】
養生テント１の下側の支柱１４は、支柱ブロック１４Ａ同士が上下方向に連結されることにより、その長さが所定長さの整数倍になるように長さ調整可能な構成になっている。支柱ブロック１４Ａは、図４に示すように、２本の縦部材１７、１７とそれら２本の縦部材１７、１７の上端部同士及び下端部同士をそれぞれ連結する連結部材１９と、２本の縦部材１７、１７の中間部同士を連結する斜め部材１８によって構成される。
連結部材１９は、２枚の平板を互いに直交するように溶接してなる断面Ｔ字状に形成されたものであり、この連結部材１９には、支柱ブロック１４Ａ同士をボルトを介して連結可能なようにボルト挿通孔２０が、連結部材１９の長さ方向に沿って複数形成されている。これら連結部材１９のうち下側の連結部材１９ａは、単なる強度部材に止まることなく該連結部材１９ａによって下側に支持ブロック１４Ａの上端を接続する部分を兼ねており、この意味において、下側の連結部材１９ａは支柱接続部分といえる。
【００２２】
ここで、養生テント１によって覆われる地表面は、幅方向に連なる養生テント１の数を増やすことにより、当該地表面の養生テント幅方向の領域を増すことができ、また、一つ一つの養生テント１において、主架構ブロック１１の個数を増やすとともに、テント膜１０の長さを長くすることにより、当該地表面の養生テント長さ方向の領域を増すことができる。
つまり、養生テント１の長さを調整するとともに、養生テント１の個数を適宜設定することにより、地表面の掘削予定箇所を当該複数の養生テント１で覆うことが可能となる。
【００２３】
図５は隣接して建て込まれた養生テント１同士の間の雨水処理構造の一例を示す。この図に示すように、隣接する養生テント１の両支柱１４の間には水平方向に延びる上下の連結部材２０が取り付けられており、これら上下の連結部材２２の間には、配水管２３が養生テント１の長手方向に沿うように取り付けられる。また、上側の連結部材２２の上部には、断面Ｕ字状の雨樋２４が取り付けられ、この雨樋２４は所定長さ置きに設けられた短管２４ａによって配水管２３と連通している。そして、養生テント１上に降った雨水は雨樋２４によって集められ、集められた雨水は雨樋２４から短管２４ａを介して配水管２３に移され、この配水管２３からさらに図示せぬ縦管を介して、養生テント１の脇に配備される雨水枡あるいは側溝（ともに図示せず）に移される。
【００２４】
上述のようにして養生テント１を建て込むが、次に、複数の養生テント１で覆われた地表面Ｇを機械あるいは人手によって掘削する（掘削工程）。ここで、養生テント１の複数の支柱１４のうち複数の養生テントによって覆われた地表面の内側に位置する支柱１４の下側部分は、当該支柱１４によって養生テント１を支えているため、掘削することができず、その状態のまま残して他の領域を掘削する。図１、図２、図３等において、地表面の内側に位置する支柱１４の下側部分の未掘削部分をＮで示す。
【００２５】
次に、未掘削部分Ｎについて、当該未掘削部分Ｎに起立する支柱１４を、支柱ブロック１４Ａを継ぎ足しながら下方へ伸ばして養生テント１の高さ位置を維持しながら養生テント１の上側部分を支持するテント支柱伸長工程について説明する。
【００２６】
図６に示すように、養生テント１の上側部分を支える複数の支柱１４のうち、伸長させようとする一の支柱１４Ｂに関連するブレース１２を取り外す。また、一の支柱１４Ｂの両側にある支柱１４によって当該一の支柱１４Ｂの上端が接続されている支柱接続部分、つまり一の支柱１４Ｂの上側に位置する支柱ブロック１４ａの下側の連結部材１９ａを支える。具体的には、連結部材１９ａから図６において左右斜め上方にそれぞれ伸びて隣接する支柱１４につながる、ブレース１２ａの長さを若干短くなるように調整する。これにより、一の支柱１４Ｂに加わる荷重を、左右のブレース１２ａに負担させるとともに、連結部材１９ａを若干持ち上げることができる。
【００２７】
このように一の支柱１４Ｂに加わる荷重を左右の連結部材１２ａに負担させた状態で、図７に示すように一の支柱１４Ｂを、上側の連結部材１９ａから取り外す。
次いで、前記一の支柱１４Ｂを前記連結部材１９ａから取り外すことにより空いた地表面を掘削する。掘削深さはほぼ支柱ブロック１４Ａの高さ分とする。
【００２８】
その後、図８に示すように、一の支柱１４Ｂに代わり該一の支柱１４Ｂよりも長さが長い伸長支柱２１を上側の前記連結部材１９ａに接続する。この結果、前記一の支柱１４Ｂを実質的に伸長させることができる（一の支柱伸長工程）。
【００２９】
なお、伸長支柱２１としては、前記連結部材１９ａから取り外した支柱ブロック１４Ａの下側に他の支柱ブロック１４Ａを連結した、２倍の長さを有する２連の支柱ブロック１４Ａを用いても良く、連結部材１９ａから取り外した支柱ブロック１４Ａとは別に、予め用意した、上下に連結する２連の支持ブロック１４Ａを用いても良い。
【００３０】
次いで、連結部材１９ａに関連する前記左右のブレース１２ａを延ばして元の長さに戻し、連結部材１９ａに加わる荷重を、それら元の長さに戻したそれら左右のブレース１２ａと新たに連結した伸長支柱２１にそれぞれ負担させる。これと同時に、伸長支柱２１に関連するブレースを連結する。以上が「一の支柱伸長工程」である。
【００３１】
次に、図９に示すように、前述した一の支柱伸長工程を複数の支柱１４に沿って横方向（図９における右方向）に順次ずらしながら繰り返し行なうことで、養生テント１の複数の支柱１４のうち地表面の内側に位置する支柱１４全てについて伸長させることができる（テント支柱伸長工程）。
図１０は、養生テント１の複数の支柱のうち地表面の内側に位置する支柱を、支柱ブロック１４Ａの長さだけ伸長させた状態を示す。
【００３２】
なお、一台の支柱ブロック１４Ａを継ぎ足しても支柱１４の伸長長さが足りない場合には、伸長させた支柱１４に対し再度前記と同様な作業を繰り返すことにより、つまり、テント支柱伸長工程を支柱１４の深さ方向に繰り返し行なうことにより、支柱１４の伸長長さを所定長まで伸ばすことができる。
【００３３】
図１１は、テント支柱伸長工程を３回繰り返すことで、養生テント１の複数の支柱のうち地表面の内側に位置する支柱を、支柱ブロック１４Ａを３連つなげた長さだけ伸長させた状態を示す。
【００３４】
本実施形態の養生テントの設置工法によれば、複数の養生テント１で覆った地表面を掘削するが、このとき、養生テント１を支える複数の支柱１４のうち、養生テント１で覆われた地表面の内側に位置する支柱１４を、両側にある支柱１４によって荷重を受けながら、掘削深さに応じて１本ずつ下方へ伸長させる。これにより、地表面を掘削しながら、養生テント１の高さ位置を変えることなく、伸長させた支柱１４で養生テントの上部を支えることができる。これにより、養生テント１で覆った状態のまま、地表面を所望深さまで掘削することができる。
【００３５】
ここで、地表面の掘削部分を覆う養生テント１は複数あるため、一つ一つの養生テント１は比較的小型のもので足りる。このため、養生テント１自体のイニシャルコストを低減することができる。
また、掘削当初から掘削予定の地表面を養生テント１によって全て覆うため、養生テント１を移動させる必要がなく、また、養生シートを用いることなく雨水等が掘削箇所に流入することを回避できる。また、雨水等が掘削箇所に流入するおそれがないので、掘削箇所に雨水が流入した際の雨水を処理するための専用の水処理設備も不要になる。
【００３６】
本実施形態で採用した一の支柱伸長工程では、一の支柱１４Ｂの両側にある支柱１４と一の支柱１４Ｂの上端が接続される連結部材１９ａとの間に渡されるブレース１２ａを短くすることにより、該ブレース１２ａに、一の支柱１４Ｂが受ける荷重を一時的に負担させることができる。これにより、一の支柱１４Ｂを連結部材１９ａから外すことが可能となる。その後、一の支柱１４Ｂに代わりこの一の支柱よりも長さが長い伸長支柱２１を連結部材１９ａに接続した後は、前記ブレース１２ａをもとの長さとなるように調整する。これにより、伸長支柱２１に再び所定の荷重を負担させることができる。
このように、もともとあるブレース１２ａを利用し、その長さを調整という簡単な作業によって、一の支柱１４Ｂあるいは伸長支柱２１に加わる荷重を増減させることができる。これに伴い、不具合を生じさせることなく、一の支柱を支柱接続部である連結部材１９ａから取り外したり、伸長支柱を連結部材１９ａへ取り付けたりすることが可能になる。
【００３７】
また、実施形態では前記一の支柱伸長工程を複数の支柱１４に沿って横方向にずらして繰り返し行なうときに、複数ある支柱のうち一端側にある支柱から他端側にある支柱に向けて一方向に順次横方向にずらしながら一の支柱伸長工程を行なうので、これら一の支柱伸長工程を次々に行なうための作業員並びに機器の移動距離を短くすることができ、これにより、作業効率を向上させて工期の短縮を図ることができる。
【００３８】
なお、本発明は、図面を参照して説明した上述の実施形態に限定されるものではなく、その技術的範囲において様々な変形例が考えられる。
例えば、前記実施形態では、複数の支柱のうち一の支柱１４Ｂの両側にある支柱で一の支柱１４Ｂの上端が接続される支柱接続部分である連結部材１９ａを支える際に、一の支柱１４Ｂの両側にある支柱１４と連結部材１９ａとの間に渡される長さ調整可能なブレース１２ａを利用しているが、これに限られることなく、一の支柱１４Ｂの両側にある支柱１４の間に仮設梁を渡し、この仮設梁によって連結部材１９ａを一時的に支えても良い。
【００３９】
前記実施形態では、支柱を伸張させるにあたり、支柱１本ずつ行なっているが、一度に、横に並ぶ支柱を２本あるいは３本同時に伸張させても良い。また、深さ方向についても、支柱ブロック１個ずつではなく、支柱ブロック１４を２個分あるいは３個分一度に伸長させても良い。
【００４０】
また、前記実施形態では、一の支柱伸長工程を複数の支柱１４に沿って横方向にずらして繰り返し行なうときに、複数ある支柱のうち一端側にある支柱から他端側にある支柱に向けて一方向に順次横方向にずらしながら一の支柱伸長工程を行っているが、これに限られることなく、まず、１本置きの支柱に対して一の支柱伸長工程を行い、続いて、残る１本置きの支柱に対して一の支柱伸長工程を行ってもよい。
【符号の説明】
【００４１】
１  養生テント、１０  テント膜、１１  主架構ブロック、１２  連結部材、１３  屋根部、１４  支柱、１４Ａ  支柱ブロック、１４Ｂ  一の支柱、１５  横部材、１６  斜め部材１７  縦部材、１８  斜め部材、１９  連結部材、１９ａ  連結部材（支柱接続部分）、２０  ボルト挿通孔、２１  伸長支柱、
【図１】
2015045130.tif 000003
【図２】
2015045130.tif 000004
【図３】
2015045130.tif 000005
【図４】
2015045130.tif 000006
【図５】
2015045130.tif 000007
【図６】
2015045130.tif 000008
【図７】
2015045130.tif 000009
【図８】
2015045130.tif 000010
【図９】
2015045130.tif 000011
【図１０】
2015045130.tif 000012
【図１１】
2015045130.tif 000013